(57)【要約】【課題】優れた入口機能を備えたリファイナープレートセグメントを提供する。【解決手段】リグノセルロース材料をリファイニングするためのリファイナープレートが、実質的に三角形の突出部を有する注入部入口を備える。前記実質的に三角形の突出部は、送入されるリグノセルロース材料をリファイニングゾーンにスムーズに導入し得るとともに、リファイニングゾーンの周りにリグノセルロース材料を良好に分散し得る。【選択図】図１
2008045261.tif 000002
【特許請求の範囲】
【請求項１】
リグノセルロース材料をリファイニングするためのリファイナープレートであって、
リファイニングゾーンと、
入口ゾーンとを備え、
前記入口ゾーンが、底辺、第一側辺、および第二側辺を有する少なくとも一個の実質的に三角形の突出部を備える
ことを特徴とするリファイナープレート。
【請求項２】
前記リファイナープレートが、円錐−円盤型リファイナーに使用のために設計されている、請求項１に記載のリファイナープレート。
【請求項３】
前記少なくとも一つの実質的に三角形の突出部が、前記底辺と第一側辺との交差で規定された第一角と前記底辺と第二側辺との交差で規定された第二角とを有し、前記第一角と第二角が各々１５°〜７５°を測定する、請求項１に記載のリファイナープレート。
【請求項４】
前記第一角と第二角が各々３０°〜６０°を測定する、請求項３に記載のリファイナープレート。
【請求項５】
前記第一角と第二角が各々４０°〜５０°を測定する、請求項３に記載のリファイナープレート。
【請求項６】
前記第一角と第二角が大略等しい、請求項３に記載のリファイナープレート。
【請求項７】
前記リファイナープレートセグメントが、入口ゾーンに対応するアーク長さを有し、前記少なくとも一つの実質的に三角形の突出部の底辺が、前記アーク長さの２０％〜４５％の長さ有する、請求項１に記載のリファイナープレート。
【請求項８】
前記少なくとも一つの実質的に三角形の突出部の底辺が、前記アーク長さの３０％〜３５％の長さ有する、請求項７に記載のリファイナープレート。
【請求項９】
前記底辺、第一側辺、および第二側辺のうちの少なくとも一辺が、実質的に直線でない、請求項1に記載のリファイナープレート。
【請求項１０】
前記底辺、第一側辺、および第二側辺のうちの少なくとも一辺が、弓状である、請求項９に記載のリファイナープレート。
【請求項１１】
前記リファイナープレートが、プレートセグメントを円環状に配列して構成され、各セグメントが少なくとも一つの三角形の突出部を備える、請求項１に記載のリファイナープレート。
【請求項１２】
リグノセルロース材料をリファイニングするためのリファイナープレートであって、複数のリファイナープレートセグメントから構成され、各リファイナープレートセグメントが、リファイニングゾーンと入口ゾーンを備え、前記入口ゾーンが、底辺、第一側辺、および第二側辺を有する少なくとも一個の実質的に三角形の突出部を備えることを特徴とするリファイナープレート。
【請求項１３】
円錐−円盤型リファイナー向けに設計された複数のリファイナープレートセグメントをさらに備える、請求項１２に記載のリファイナープレート。
【請求項１４】
円錐型リファイナー向けに設計された複数のリファイナープレートセグメントをさらに備える、請求項１２に記載のリファイナープレート。
【請求項１５】
円盤型リファイナー向けに設計された複数のリファイナープレートセグメントをさらに備える、請求項１２に記載のリファイナープレート。
【請求項１６】
ステーターリファイナープレートを備える、請求項１２に記載のリファイナープレート。
【請求項１７】
ローターリファイナープレートを備える、請求項１２に記載のリファイナープレート。
【発明の詳細な説明】
【技術分野】
【０００１】
本発明は、一般に、リグノセルロース材料、例えば、繊維物質およびセルロースやリグニンを含有する他の物質をリファイニングするためのリファイナーおよびリファイナープレートに関する。本発明は、一般に、円錐型リファイナー、円盤型リファイナーおよび円錐−円盤型リファイナーに使用のために設計されたリファイナープレートを含むリファイナープレートの入口部に関する。
【背景技術】
【０００２】
高コンシステンシーメカニカルパルプ製造用リファイナーでは、リグノセルロース材料、例えば、木材繊維などが、リファイナープレートが装着された二つの相対的に回転している表面の間で処理される。リファイナープレートは、一般に、半径方向に延びるバーと溝を備える。バーは、繊維を分離・離解するインパクトまたは圧力パルスを生起し、溝は、リファイナーディスク間に繊維を供給することを可能にする。一般に、各リファイナープレートは、半径方向内部に延びる一つの入口ゾーンと半径方向外部に延びる少なくとも一つの出口ゾーンとを備える。この入口ゾーンは、木材チップ、以前にリファイニングされた繊維および／または他のリグノセルロース材料を受容するように適応されている。
【０００３】
入口ゾーンは、一般に、入って来るリグノセルロース材料をリファイニングゾーンに供給すると共に、リグノセルロース材料をリファイニングゾーンの周りに分散する機能を有する。多くの従来のリファイナーでは、一般に、リファイナープレートの入口ゾーンは供給を良好に保つか、または分散を良好に行うかのいずれかの機能を有する。リグノセルロース材料を供給・分散する際に、リファイナープレートの入口ゾーンは、セルロース材料に初期リファイニング作用を加えてセルロース材料の大きさを減少することも行い得る。
【０００４】
例えば、円錐−円盤型リファイナーは、時に「平坦ゾーン」と称される第一ゾーンで良好な供給能力を備え得る。遠心力によって、二個の相対するリファイナープレートの間に形成されるギャップに沿って原料が強制圧入されるからである。円錐−円盤型リファイナーの第二ゾーンは、円錐部状ゾーンである。一般に、遠心力によって、普通、円錐部状ゾーンを流れる供給原料は、回転エレメント（これは、小さな凸状コーンまたはプラグで形成し得る）から固定エレメント（これは、より大きな凹状エレメントまたはシェルで形成し得る）の方に押し流される。円錐部状ゾーンの供給能力は、平坦ゾーンのそれと比較してそれほど良好ではない可能性が高い。従って、円錐部状ゾーンは、リファイナー出口方向前方へのパルプ移動を促進するには、主に、前進するスチームの流れに依存する。なお、リファイナー出口は、一般に、円錐部状ゾーンの端部に、すなわち、大直径の方の端部に設けられる。
【発明の開示】
【発明が解決しようとする課題】
【０００５】
円錐−円盤型リファイナーは、一般に、平坦ゾーンの出口から円錐部状ゾーンに供給原料を強制圧入するに必要な十分な機械的遠心力を欠くことが多い。十分な駆動力が存在しないため、第一ゾーンと第二ゾーンの境界の所で供給原料の閉塞が起こるおそれがある。閉塞が起こると、リファイナー運転時に、特に高生産量で行っているときに、原料供給が不安定になったり、他の困難なことが起きたりすることが潜在的に生ずる。一般に、幾つかの従来のリファイナープレートの設計では、ステーターの円錐部ゾーンに繊維を投入するような構造になっているが、円錐部ゾーンのステーターとローターとの間のギャップに沿って繊維を前進させる機械力は、不十分なことが多い。
【課題を解決するための手段】
【０００６】
改良された入口部が、リグノセルロース材料をリファイニングするためのリファイナー、例えば、円錐型リファイナー、円盤型リファイナー、および円錐−円盤型リファイナーおよびリファイナープレートのために開発された。特に、円錐−円盤型リファイナーの円錐部状ゾーンに係わる改良された回転エレメントが開発された。この回転エレメントは、平坦ゾーンと円錐部状ゾーンの境界からのリグノセルロース材料の前方向供給を改良すると共に、回転エレメントと固定エレメントの周りに供給原料を良好に分散することを可能とするものである。
【０００７】
一つの態様では、本発明は、リグノセルロース材料をリファイニングするための円錐−円盤型リファイナーに使用し得る。他の態様では、本発明は、円錐型リファイナーまたは円盤型リファイナーにも使用し得る。
【０００８】
円錐−円盤型リファイナーでは、平坦ゾーンと円錐部状ゾーンの境界から原料を円錐部状ゾーンに供給することは、ある種の設計関連の目的があるが、これらの目的の一つまたはそれ以上が、本発明により達成し得る。
【０００９】
（１）一般に、ローター円錐部ゾーンへの入口は、比較的オープンにし、円錐部ゾーンへの供給を容易にするようにしなければならない。円錐部ゾーンの入口の弦の長さの約２／３をオープンにし、原料が円錐部ゾーンに容易に入るようにすることが好ましい。
【００１０】
（２）一般に、ローター円錐部ゾーンの入口の構造は、入口が供給原料と接触するとき、前方に供給する機械力が加わるようにしなければならない。
【００１１】
（３）一般に、ローター入口は、好ましくは、供給原料をローター円錐部ゾーンの実質的全面に良好に分散させる構造を有しなければならない。供給を入口の小さな狭い領域に集中することは、避けるのが好ましい。円錐部ローター入口部はこのような分散機能を持たせることが好ましいが、リファイナー平坦ゾーン入口部の分散機能ほどには重要性は少ないと思われる。円錐部ローターは、一般に、パルプを固定エレメントの方向に追い出す機能を有しており、原料の強制的分散が大略行われるからである。
【００１２】
（４）一般に、ローター入口の構造は、好ましくは、回転の両方向に等しく作動するように設計されなければならない。このタイプのリファイナーの多くのユーザーは、回転の操作方向を定期的に変更することがあり得る。回転の操作方向を変更すると、リファイナープレートの寿命が延びることがあり得るからである。
【００１３】
ローター円錐部ゾーンの入口は、好ましくは、ステーター円錐部ゾーンプレートのどのような標準の入口に対しても作動しなければならない。入口は、好ましくは、入口部分に一つまたは複数の実質的に三角形の突出部を備えなければならない。この突出部は、プレートのベース位置（外領域の溝の底部で規定される）まで延び、リファイニング領域のバーの高さと実質的に同じレベルに達し得る。
【００１４】
突出部の実質的三角形は、立面図で規定され、同三角形の底辺は、ローター円錐部ゾーンセグメントの入口の箇所に形成される。この実質的三角形は、ベースプレートの内側の部分より僅かに突出し得る。突出程度としては、他の表面に触れずにリファイナー幾何学的形状が許容し得る程度が望ましい。突出は、円錐部ゾーンと平坦とゾーンとを隔てるギャップまでに達し得る。三角形の頂点は、一般に、ローター円錐部ゾーンセグメントの外周方向外側に半径方向に向いて位置し得る。三角形の側辺は、「前方に供給する」機能の面を形成し得る。この機能の面により、一般に、供給原料に力ベクトルが付与され、円錐部ゾーンの外側方向に供給原料が送られるようになる。
【００１５】
供給突出部の三角形部分の底辺は、好ましくは、セグメント弧長さの約３分の１（または、突出部二個が使われるときは約６分の１）をカバーする。例えば、突出部の範囲は、セグメント入口の弧の長さの２０％〜４５％、およびこれらの間のサブ範囲全てをカバーし得る。三角形の側辺の勾配は、三角形の中心を通過し、セグメントの入口からセグメントの外周に位置している中心線に対して、好ましくは、２０°〜７５°、より好ましくは３０°〜６０°の範囲、およびこれらの間のサブ範囲全てとし得る。セグメントの下側コーナーは、鋭い形状でもよいが、または、幾分丸味を帯びた形状とし、供給原料に存在し得る異物で容易に欠けたり、損傷したりする可能性を最小限に抑え得る。好ましくは、リファイナーセグメント自体の限界を越えて延びる三角形の部分に明確な供給ベクトルが存在することである。これは、平坦側と円錐側ギャップの境界から円錐側ギャップに向けて供給原料を強力に推進するのに役立つ。三角形の頂点は、好ましくは、鋭い端部が欠けることを防止するため、丸味を帯びさせるが、このことは、また、丸味を帯びた先端部が、ローター表面周りの原料の良好な分散を促進し得るからである。
【００１６】
実質的に三角形の突出部は、プレートのベースと実質的に並行な底辺部分を備え得る。別法としては、この底辺部分はプレートのベースと実質的に並行でなくてもよい。この底辺部分の寸法の限界は、一般に、実際上の制約と考慮のみに左右される。
【００１７】
例えば、三角形の入口の供給角は、１５−７５°の範囲内に維持することが好ましく、また、十分に強い構造を維持することによって、構造的に弱くてリファイナー中で壊れるおそれのある供給エレメントになるのを避けることが好ましい。さらに、抜き勾配、すなわち、リファイナーディスクの中心から延びてベースのプレートを横切る軸に対する三角形の側角は、好ましくは、必ずしも必要ではないけれども、出来るだけ０°と近くするが、実際には、製造プロセスに本質的な限界で定められる。負の抜き勾配が製造プロセスでコスト効率上有利に達成し得るならば（キャスティングプロセスでは、通常、正の抜き勾配とすることが求められるので、さらに機械加工したり、モールドコアを使用したりすることが必要となり得る）、負の抜き勾配の方が好ましい。何故ならば、パルプをステーター側に圧入する傾向を少なくすることによって正の供給効果を増すからである。
【００１８】
実質的に三角形の突出部は、大略正三角形、二等辺三角形、または不等辺三角形のいずれでもあり得る。実質的に三角形の突出部は、三つの角とも鋭角、二つの鋭角と一つの鈍角、または二つの鋭角と一つの直角を備え得る。実質的に二等辺三角形の突出部が、その対称性故に好ましい。これを使用することにより、リファイナープレートの性能を実質的に変更せずに回転方向の反転が可能になるからである。
【００１９】
他の態様では、リファイナープレートの入口部に配置される実質的三角形突出部は、円錐型リファイナーまたは円盤型リファイナーにも使用し得る。
【００２０】
リグノセルロース材料をリファイニングするためのリファイナープレートが開発された。このリファイナープレートは、リファイニングゾーンと入口ゾーンとを備える。入口ゾーンは、少なくとも一個の三つの角を有する実質的に三角形の突出部を備える。好ましくは、三角形の底辺角は、それぞれ、１５°〜７５°である。上記のリファイナープレートは、リグノセルロース材料をリファイニングするリファイナー、例えば、円錐−円盤型リファイナー、円盤型リファイナー、または円錐型リファイナーに設けられたローターまたはステータープレートのいずれでもよい。
【発明を実施するための最良の形態】
【００２１】
図１は、円錐−円盤型リファイナーにおけるリファイナープレート構造の部分断面図を示す。二つのリファイニング部がある。円錐部１０２と平坦部１０４とである。円錐部１０２と平坦部１０４との間にギャップ１０６があり、ここで供給材料は、一つのリファイニングゾーンから次のリファイニングゾーンへと遷移する。円錐部１０２はロータープレート１０８とステータープレート１１０とを備える。平坦部１０４は、同様に、ロータープレート１１２とステータープレート１１４とを備える。
【００２２】
一般的にリグノセルロース材料は、入口１１６から平坦部１０４に入る。そこから、リグノセルロース材料はリファイニングゾーン１１８に入る。リファイニングゾーン１１８は、バーと溝のパターンを備え、バーと溝はインパクトまたは圧力パルスを与え、繊維の分離と離解とを容易に行わせる。リグノセルロース材料がプレート間で機械的処理を受けると、スチームが発生し得る。
【００２３】
リファイニングゾーン１１８から、リグノセルロース材料は、ギャップ１０６を通って円錐部１０２のロータープレート１０８の注入部入口１２０に流れる。供給ゾーンでは、リグノセルロース材料は前方に強制的に圧入され、リファイニング部１２２内に分散される。リファイニング部１２２は、バーと溝のパターンを備え、バーと溝はインパクトまたは圧力パルスを与え、繊維の分離と離解とを容易に行わせる。リファイニングゾーン１２２のローター１０８とステーター１１０の間で機械的処理を受けた後、リファイニングされたリグノセルロース材料は出口１２４から外部に出る。
【００２４】
図２Ａ、図２Ｂおよび図２Ｃは、円錐−円盤型リファイナー円錐部のロータープレート入口部の従来技術構造を示す。図２Ａは、図２ＢのＡ−Ａの断面図を示す。図２Ｃは、図２ＢのＣ−Ｃの断面図を示す。これらの図では、同じ機器部分は、同じ参照数字を共有する。
【００２５】
図２Ａでは、リグノセルロース材料は、ギャップ２０６からロータープレート２０８の注入部入口２２０に流れる。供給ゾーンでは、リグノセルロース材料は前方に強制的に圧入され、リファイニング部２２２内に分散される。リファイニング部２２２は、バーと溝のパターンを備え、バーと溝はインパクトまたは圧力パルスを与え、繊維の分離と離解とを容易に行わせる。リファイニングゾーン２２２のローター２０８とステーター２１０の間で機械的処理を受けた後、リファイニングされたリグノセルロース材料は出口２２４から外部に出る。
【００２６】
図２Ｂは、円錐−円盤型リファイナーの円錐部のロータープレート入口の従来技術構造の概要を示す。入口突出部２２０は、大略四角形のベース部分とリファイニング部２２２の方に頂点が向いた三角形部分とを有する。入口突出部２２０は摩擦力２３０を生じさせる。図２Ｃは、入口突出部２２０と摩擦力２３０と遠心力２３２とを示す。図２Ｂと２Ｃに示される摩擦力と遠心力は、ある程度、正確に描かれているけれども、実際は説明目的のみに示されている。
【００２７】
図３Ａ、図３Ｂおよび図３Ｃは、円錐−円盤型リファイナーの円錐部のロータープレートに実質的に三角形の突出部を備える入口部の態様を示す。円錐−円盤型リファイナーの円錐部に関連した態様で示されているけれども、実質的に三角形の突出部を備える入口部は、円錐−円盤型リファイナーの平坦部にも、円盤型リファイナーにも、または円錐型リファイナーにも採用し得る。同様に、実質的に三角形の突出部を備える入口部は、円錐−円盤型リファイナーの円錐部のロータープレートに関して描かれているけれども、ロータープレートまたはステータープレートのいずれにも採用し得る。
【００２８】
図３Ａは、図３ＢのＡ−Ａの断面図を示す。図３Ｃは、図３ＢのＣ−Ｃの断面図を示す。これらの図では、同じ機器部分は同じ参照数字を共有する。
【００２９】
図３Ａでは、リグノセルロース材料は、ギャップ３０６からロータープレート３０８の注入部入口３２０に流れる。供給ゾーンでは、リグノセルロース材料は前方に強制的に圧入され、リファイニング部３２２内に分散される。リファイニング部３２２は、バーと溝のパターンを備え、バーと溝はインパクトまたは圧力パルスを与え、繊維の分離と離解とを容易に行わせる。バーと溝の正確なパターンは、本発明にとっては重要ではない。どのような従来の、または新規のパターンでも、商業的に実際的であり、技術的に実現可能である限り、十分である。リファイニングゾーン３２２のローター３０８とステーター３１０の間で機械的処理を受けた後、リファイニングされたリグノセルロース材料は出口３２４で外部に出る。
【００３０】
図３Ｂは、円錐−円盤型リファイナーの円錐部のロータープレートに実質的に三角形の突出部を備える入口部の例示構造の概要を示す。図示のように、リファイニングゾーン３２２と、実質的に三角形の入口突出部３２０を備える入口ゾーンとがある。実質的に三角形の入口突出部３２０は、底辺３６０、側辺３６２および側辺３６４を有する。別法の態様では、リファイナープレートに実質的に三角形の入口突出部が２個以上ある。
【００３１】
好ましくは、底辺３６０、側辺３６２および側辺３６４は、図３Ｂに示される態様に描かれているように実質的に直線であるが、実質的直線から大幅に逸脱することも、他の態様では許される。例えば、個々に、または全部が、弓状、歯状、またはある種の他の曲線形状でもよい。図示のように、底辺３６０は、好ましくは、プレートベース３７０を超えて延びているが、底辺３６０は、ベース３７０の終端部と同じ面で終端となることもあり得る。また、別の態様で、ベース３７０が、実質的に三角形の突出部の底辺３６０を超えて延びることもあり得る。図３Ｂでは、底辺３６０はベース３７０に実質的に平行である。他の態様では、底辺３６０はベース３７０に実質的に平行とはなっていない。
【００３２】
ある態様では、供給突出部の三角形部分の底辺は、好ましくは、セグメントの弧長の約３分の１（または、突出部２個が使われるときは約６分の１）をカバーする。例えば、全ての突出部に対する底辺の全長の範囲は、セグメント入口の弧長の２０〜４５％、好ましくは２５〜４０％、より好ましくは３０〜３５％、およびこれらの間のサブ範囲全てをカバーし得る。
【００３３】
図３Ｂに示されるように、実質的に三角の形状は３個の角を有する。角３５０、角３５２および角３５４である。これらの角は、実質的三角形の３個のコーナーに対応する。図３Ｂに示されるように、角３５０と３５２は、大略等しく、大略二等辺三角形の突出部を形成する。他の態様では、実質的に三角形の突出部３２０は、実質的に等辺三角形の突出部、または実質的に不等辺三角形の突出部であり得る。角３５０、角３５２および角３５４のうちの一個は、大略直角であり得る。
【００３４】
好ましくは、角３５２と角３５０は、１５°〜７５°、より好ましくは３０°〜６０°、さらにより好ましくは４０°〜５０°、およびこれらのサブ範囲全てである。図３Ｂに示されるように、角３５０、角３５２および角３５４各々に対応するコーナーは、好ましくは、実質的に丸味を帯びている。コーナーに丸味を帯びさせると、供給原料に存在する異物で欠けたり、損傷したりする可能性が最小限に抑えられると考えられる。他の態様では、これらの角は実質的に丸味を帯びていない。
【００３５】
好ましくは、三角形の入口の供給角度は、１５−７５°の範囲内であり、そして十分に強い構造を維持することによって、構造的に弱くてリファイナーで壊れるおそれのある供給エレメントになるのを避けるのが好ましい。さらに、抜き勾配、すなわち、リファイナーディスクの中心から延びてベースのプレートを横切る軸に対する三角形の側角は、好ましくは、必ずしも必要ではないけれども、出来るだけ０°と近くするが、実際には、製造プロセスに本質的な限界で定められる。実際は、負の抜き勾配の方が好ましい。何故ならば、パルプをステーター側に圧入する傾向を少なくすることによって正の供給効果を増すからである。
【００３６】
図３Ｂでは、角３５４は実質的三角形３２０の頂点に対応する。幾つかの態様では、頂点は、実質的にリファイニングゾーンに突出し得るし、突出しないこともあり得る。図３Ｂに示されるように、この場合の頂点はリファイニングゾーン３２２に突出してはいない。
【００３７】
図３Ｂに示されるように、実質的に三角形の入口突出部３２０は摩擦力３３０を生じさせる。図３Ｃは、実質的に三角形の入口突出部３２０と摩擦力３３０と遠心力３３２と示す。図３Ｂと図３Ｃに示される摩擦力と遠心力は、ある程度、正確に描かれているけれども、実際は説明目的のみに示されている。しかし、注記すべきは、本発明は、特定の摩擦力または遠心力の方向または大きさに限定されないということである。
【００３８】
図３Ｃは、バー３８０と溝３８２のパターンを示す。実質的に三角形の突出部の頂部３６６は、溝より高く描かれている。他の態様では、頂部３６６はバー３８０（または、バー３８０のサブセット）と実質的に同じ高さであり得る。さらに別の態様では、頂部３６６はバー３８０（または、バー３８０のサブセット）より低いこともあり得る。
【００３９】
図３Ｃに示されるように、実質的に三角形の突出部３２０は、頂部３６６と丸味を帯びたコーナーを有する側部３６８とで形成された実質的に長方形の断面を有する。他の態様では、実質的に三角形の突出部３２０は、実質的に台形（等辺台形であるかどうかは問わず）の断面を有する。さらに別の態様では、実質的に三角形の突出部は、丸味を帯びたコーナーを有しない。
【００４０】
図４は、実質的に三角形の突出部を備えるリファイナープレートの入口部の態様の別の一つを示す。リファイナープレートの供給ゾーンでは、リグノセルロース材料は前方に強制的に圧入され、リファイニング部４２２内に分散される。リファイニング部４２２は、バーと溝のパターンを備え、バーと溝はインパクトまたは圧力パルスを与え、繊維の分離と離解とを容易に行わせる。リファイニングバーの幾つかは４８０と記してある。バーと溝の正確なパターンは、本発明にとっては重要ではない。どのような従来の、または新規のパターンでも、商業的に実際的であり、技術的に実現可能である限り、十分である。図４に示される態様では、バー４８０は互いに実質的に平行で、バーの入口は、プレートのセンターラインからプレートの左右の端部に向けて弓状に配置されている。バー４８０の入口が円弧状であるか、またはある他の構成の形状であるかどうかは、一般に、運転上の考慮、例えば、リグノセルロース材料の組成、リファイナー能力、リファイナー形式などに基づく設計上の選択で定められる。
【００４１】
図４の態様に示されるように、実質的に三角形の突出部４２０は３つの側辺を有する。底辺４６０、側辺４６２および側辺４６４である。底辺４６０は、実質的に直線で、プレートのベース４７０を越えて延びている。他の態様では、底辺４６０は実質的に直線ではない。例えば、実質的に三角形の突出部の底辺は、弓状、歯状、またはある種の他の曲線形状でもよい。側辺４６２と側辺４６４とは、一般に、弓状である。もっとも、実質的に直線、歯状、またはある種の他の曲線形状でもよい。さらに、側辺４６２と側辺４６４は、図示のように内側に曲がっているのではなく、実質的に三角形の突出部の中心から外側に曲がる円弧を形成するものでもよい。
【００４２】
側辺４６２と底辺４６０とはコーナー４９０で合一する。図示のように、コーナー４９０は僅かに丸味を帯びている。もっとも、他の態様では丸味には程度の差がある。この態様に描かれているように、実質的に三角形の突出部は、リファイニングゾーン４２２に突出している頂点４９４を有する。さらに、頂点４９４はコーナーを形成せず、むしろ、頂点４９４は、複数のリファイニングバー、すなわち、リファイニングバー４９６とリファイニングバー４９８に遷移しながら続いている。他の態様では、頂点４９４は、単一のリファイニングバーに遷移しながら続いたり、あるいは２本超のリファイニングバーに遷移しながら続いたりする。
【００４３】
実質的に三角形の突出部からリファイニングバーへの遷移は、もしあれば、比較的スムーズでもよく、段差があってもよい。すなわち、リファイニングバー４９６と４９８の表面は、実質的に三角形の突出部４２０の表面と実質的に同一の面になくてもよい。そして、同一面にない場合は、リファイニングバーと実質的三角形突出部との間の遷移は、緩やかな勾配を持つ場合も、急激な変化となることもあり得る。
【００４４】
図４は単一の実質的に三角形の突出部４２０を示しているけれども、単一のリファイナープレートが、他の態様に基づけば、実質的に三角形の突出部を複数個備えることもあり得る。
【００４５】
以上、本発明は、現在最も実用的で、好ましい態様であると考えられるものについて記載されたけれども、本発明は、開示された態様に限定されることなく、むしろ反対に、前記特許請求の範囲とその精神内に含まれる多岐にわたる修正や等価の配置も網羅するものである。
【図面の簡単な説明】
【００４６】
【図１】円錐−円盤型リファイナーの説明図で、平坦部と円錐部を備えるリファイナープレートを示す図である。
【図２Ａ−Ｃ】従来技術のリファイナーの説明図で、円錐−円盤型リファイナーの円錐部を示す図である。
【図３Ａ−Ｃ】円錐−円盤型リファイナーに三角形の注入入口部を有するリファイナープレートの態様の一つを示す説明図である。
【図４】三角形の注入入口部を有するリファイナープレートの態様の他の一つを示す説明図である。
【符号の説明】
【００４７】
１０２…円錐部、１０４…平坦部、１０６，２０６，３０６…ギャップ、１１０，１１４，２１０，３１０…ステータープレート、１０８，１１２，２０６，２０８，３０８…ロータープレート、１１６…入口、１１８，１２２，２２２，３２２，４２２…リファイニングゾーン、１２４，２２４，３２４…出口、１２０，２２０，３２０，４２０…注入部入口または入口突出部、２３０，３３０…摩擦力、２３２…遠心力、３５０，３５２，３５４…角、３６０，４６０…底辺，３６２，３６４，４６２，４６４…側辺、３６６…頂部、３６８…側部、３７０，４７０…プレートベース、３８０，４８０，４９６，４９８…バー、４９０，４９２…コーナー、４９４…頂点。
【図１】
2008045261.tif 000003
【図２Ａ】
2008045261.tif 000004
【図２Ｂ】
2008045261.tif 000005
【図２Ｃ】
2008045261.tif 000006
【図３Ａ】
2008045261.tif 000007
【図３Ｂ】
2008045261.tif 000008
【図３Ｃ】
2008045261.tif 000009
【図４】
2008045261.tif 000010
【手続補正書】
【提出日】平成19年8月17日(2007.8.17)
【手続補正１】
【補正対象書類名】明細書
【補正対象項目名】００４６
【補正方法】変更
【補正の内容】
【００４６】
【図１】は円錐−円盤型リファイナーの説明図で、平坦部と円錐部を備えるリファイナープレートを示す図である。
【図２Ａ】は従来技術のリファイナーの説明図で、円錐−円盤型リファイナーの円錐部を示す図（図２ＢのＡ−Ａの断面図）である。
【図２Ｂ】は従来技術のリファイナーの説明図で、円錐−円盤型リファイナーの円錐部を示す図である。
【図２Ｃ】は従来技術のリファイナーの説明図で、円錐−円盤型リファイナーの円錐部を示す図（図２ＢのＣ−Ｃの断面図）である。
【図３Ａ】は円錐−円盤型リファイナーに三角形の注入入口部を有するリファイナープレートの態様の一つを示す説明図（図３ＢのＡ−Ａの断面図）である。
【図３Ｂ】は円錐−円盤型リファイナーに三角形の注入入口部を有するリファイナープレートの態様の一つを示す説明図である。
【図３Ｃ】は円錐−円盤型リファイナーに三角形の注入入口部を有するリファイナープレートの態様の一つを示す説明図（図３ＢのＣ−Ｃの断面図）である。
【図４】は三角形の注入入口部を有するリファイナープレートの態様の他の一つを示す説明図である。